(57)【要約】【課題】低コストかつ短期間で簡易に携帯受信機向けデジタル放送を実現する。【解決手段】既設の固定受信機向けデジタル放送送出システムに携帯受信機向け放送送出機能を付加する。すなわち、送出制御装置１による制御の下、スイッチャ装置２において選択される固定受信機向けコンテンツを分配し、携帯字幕変換装置２２に入力する。入力された固定受信機向けコンテンツは、携帯字幕変換装置２２において携帯用字幕が付加されたのち、固定受信機向けＨＤエンコーダ３から通知される符号化情報を表すステータスを受け、このステータスに基づいてダウンコンバータ２３による変換、及びＨ．２６４エンコーダ２４においてＨ．２６４符号化が行われ、携帯受信機向けのＴＳ信号として多重化装置４に出力される。多重化装置４は、この携帯受信機向けＴＳ信号をＨＤエンコーダ３から出力される固定受信機向けＴＳ等と多重化し、一つの放送用ＴＳとして出力する。【選択図】      図２
2007243454.tif 000002
【特許請求の範囲】
【請求項１】
地上波デジタル放送のための送出制御装置と、前記送出制御装置による制御により固定受信機向けコンテンツを選択するスイッチャ装置と、前記送出制御装置による制御により固定受信機向けコンテンツを固定受信機向けトランスポート・ストリーム（ＴＳ：Transport Stream）に符号化する固定受信機向けエンコーダと、前記送出制御装置による制御により固定受信機向けＴＳを含む複数のＴＳを多重化する多重化装置とを備える、デジタル放送送出システムであって、
前記スイッチャ装置により選択される固定受信機向けコンテンツを分配する分配手段と、
前記分配された固定受信機向けコンテンツを携帯受信機向けコンテンツに変換する変換装置と、
前記携帯受信機向けコンテンツを携帯受信機向けＴＳに符号化する携帯受信機向けエンコーダと、
前記固定受信機向けエンコーダの動作状態を表すステータスを前記変換装置及び携帯受信機向けエンコーダに通知して、前記変換装置及び携帯受信機向けエンコーダを制御する制御手段と、
前記多重化装置により前記携帯受信機向けＴＳと前記固定受信機向けＴＳとを多重化して放送用ＴＳを生成する多重化手段と
を具備することを特徴とするデジタル放送送出システム。
【請求項２】
地上波デジタル放送のための送出制御装置と、前記送出制御装置による制御により固定受信機向けコンテンツを選択するスイッチャ装置と、前記送出制御装置による制御により固定受信機向けコンテンツを固定受信機向けトランスポート・ストリーム（ＴＳ：Transport Stream）に符号化する固定受信機向けエンコーダと、前記送出制御装置による制御により固定受信機向けＴＳを含む複数のＴＳを多重化する多重化装置とを備える、デジタル放送送出システムで用いられ、
前記スイッチャ装置により選択される固定受信機向けコンテンツを分配し、
前記固定受信機向けエンコーダの動作状態を表すステータスを通知することにより、前記分配された固定受信機向けコンテンツを携帯受信機向けコンテンツに変換したのち、前記変換された携帯受信機向けコンテンツを携帯受信機向けＴＳに符号化し、
前記多重化装置により前記携帯受信機向けＴＳと前記固定受信機向けＴＳとを多重化して放送用ＴＳを生成することを特徴とする携帯受信機向けデジタル放送送出方法。
【発明の詳細な説明】
【技術分野】
【０００１】
この発明は、地上波デジタル放送のスタジオ送出設備に係わり、特に携帯受信機向けデジタル放送を送出するデジタル放送送出システム及び携帯受信機向けデジタル放送送出方法に関する。
【背景技術】
【０００２】
地上波デジタル放送（ＩＳＤＢ−Ｔ：Integrated Services Digital Broadcasting for Terrestrial）において、携帯受信機向けデジタル放送が開始される。ＩＳＤＢ−Ｔ方式は、１３のセグメント構造をもち、セグメント単位で変調方式を変更できることが最大の特徴である。これにより、複数のセグメントを用いて固定受信機向けサービスを６４ＱＡＭで行うと同時に、残りのセグメントで携帯受信機向けサービスをＱＰＳＫで行う１セグメント部分受信サービス（以下、１セグ・サービス）が可能となる。これにより、車などの移動体や携帯電話といった簡易端末での受信も可能となり、受信エリアやサービス対象が大幅に拡張されることから、そのサービスには多方面から大きな期待が寄せられている。
【０００３】
なお、デジタル放送システムの既存設備を有効活用することで、新たなサービスを提供する手法が提案されている（例えば、特許文献１を参照。）。
【特許文献１】特開２００２−３３３８９０公報
【発明の開示】
【発明が解決しようとする課題】
【０００４】
ところで、携帯受信機向けデジタル放送を送出するには、固定受信機向けデジタル放送に要した全ての設備と同等の携帯受信機向けの放送設備を新たに導入する必要があり、多大なコストと手間が掛かる。また、現在運用中の既存の放送送出システムに対して、このような大規模な改修を行うのは大きなリスクを伴うものである。
【０００５】
この発明は上記事情に着目してなされたもので、その目的とするところは、低コストかつ短期間で簡易に携帯受信機向けデジタル放送を実現する地上波デジタル放送用のデジタル放送送出システム及び携帯受信機向けデジタル放送送出方法を提供することにある。
【課題を解決するための手段】
【０００６】
上記目的を達成するためにこの発明に係わるデジタル放送送出システム及び携帯受信機向けデジタル放送送出方法は、地上波デジタル放送のための送出制御装置と、前記送出制御装置による制御により固定受信機向けコンテンツを選択するスイッチャ装置と、前記送出制御装置による制御により固定受信機向けコンテンツを固定受信機向けトランスポート・ストリーム（ＴＳ：Transport Stream）に符号化する固定受信機向けエンコーダと、前記送出制御装置による制御により固定受信機向けＴＳを含む複数のＴＳを多重化する多重化装置とを備える、デジタル放送送出システムであって、前記スイッチャ装置により選択される固定受信機向けコンテンツを分配する分配手段と、前記分配された固定受信機向けコンテンツを携帯受信機向けコンテンツに変換する変換装置と、前記携帯受信機向けコンテンツを携帯受信機向けＴＳに符号化する携帯受信機向けエンコーダと、前記固定受信機向けエンコーダの動作状態を表すステータスを前記変換装置及び携帯受信機向けエンコーダに通知して、前記変換装置及び携帯受信機向けエンコーダを制御する制御手段と、前記多重化装置により前記携帯受信機向けＴＳと前記固定受信機向けＴＳとを多重化して放送用ＴＳを生成する多重化手段とを具備することを特徴とする。
【０００７】
上記構成では、スイッチャ装置において選択される固定受信機向けコンテンツを分配し、変換装置において携帯受信機向けコンテンツに変換する。さらに、携帯受信機向けエンコーダにおいて、固定受信機向けエンコーダから通知されるステータスに基づいて上記携帯受信機向けコンテンツに対し符号化処理を行い、携帯受信機向けＴＳを出力する。多重化装置は、この携帯受信機向けＴＳを固定受信機向けＴＳと多重化し、一つの放送用ＴＳとして出力する。本手法において携帯受信機向け放送サービスを実現することによって、既存システムに対する改修を極力抑えることが可能である。またこれは、安価で、かつ短期間で携帯受信機向けデジタル放送を実現する手法といえる。
【発明の効果】
【０００８】
したがってこの発明によれば、低コストかつ短期間で簡易に携帯受信機向けデジタル放送を実現する地上波デジタル放送用のデジタル放送送出システム及び携帯受信機向けデジタル放送送出方法を提供することができる。
【発明を実施するための最良の形態】
【０００９】
以下、図面を参照しながら本発明の実施の形態を詳細に説明する。  
図１は、地上波デジタル放送の固定受信機向けデジタル放送送出システムの一般的な構成を示すブロック図である。
【００１０】
このデジタル放送送出システムは、送出制御装置１と、スイッチャ装置２と、ＨＤ（High Definition）エンコーダ３と、多重化装置４とを備える。送出制御装置１は、データサーバ（図示せず）から受け取った番組編成情報に基づいて各被制御装置（スイッチャ装置２、ＨＤエンコーダ３、及び多重化装置４）の制御や切替を行うことにより、番組表どおりに放送を行う。
【００１１】
スイッチャ装置２には固定受信機向けコンテンツ（映像信号及び音声信号）が入力され、送出制御装置１からのスイッチング制御にしたがって固定受信機向けコンテンツを選択して出力する。送出制御装置１は、ＨＤエンコーダ３に符号化制御を行い、スイッチャ装置２から出力された固定受信機向けコンテンツに対し符号化処理を行い、ＴＳ（Transport Stream）信号を生成する。生成されたＴＳ信号は、多重化装置４において、固定受信機用ＰＳＩ（Program Specific Information、番組特定情報）をもとに、他のエンコーダ装置やデータサービスを送出するサーバ等から出力される複数のＴＳと多重化され、一つの放送用ＴＳとして出力される。
【００１２】
この発明では、上述したような既設の固定受信機向けデジタル放送送出システムに携帯受信機向け放送送出機能を付加する。その手法について以下に説明する。  
図２は、この発明に係わるデジタル放送送出システムの一実施形態の構成を示すブロック図である。このシステムは、図１に示した固定受信機向けデジタル放送送出システムに、エンコーダノード２１と、携帯字幕変換装置２２と、ダウンコンバータ２３と、Ｈ．２６４エンコーダ２４と、多重化ノード２５とを新たに備えるものである。
【００１３】
上記構成において、スイッチャ装置２から出力される固定受信機向けの映像信号及び音声信号を分配し、携帯字幕変換装置２２に入力する。携帯字幕変換装置２２では、携帯受信機向けに表示位置や文字数等が制限された字幕データが生成される。エンコーダノード２１は、ＨＤエンコーダ３から通知される符号化情報を表すステータスを受け、このステータスに基づいて、ダウンコンバータ２３にダウンミックス制御、及びＨ．２６４エンコーダ２４に符号化制御を行う。
【００１４】
このようにして、分配入力された固定受信機向けコンテンツは、携帯用字幕が付加され、ダウンコンバートされたのち、Ｈ．２６４による符号化が行われ、携帯受信機向けのＴＳ信号として多重化装置４に出力される。そして、多重化装置４は、多重化ノード２５から出力される携帯用ＰＳＩにしたがって携帯受信機向けのＴＳ信号をＨＤエンコーダ３から出力される固定受信機向けＴＳ等と多重化し、一つの放送用ＴＳとして出力する。
【００１５】
以上述べたように、上記実施形態では、既設の固定受信機向けデジタル放送送出システムに携帯受信機向け放送送出機能を付加する。すなわち、送出制御装置１による制御の下、スイッチャ装置２において選択される固定受信機向けコンテンツを分配し、携帯字幕変換装置２２に入力する。入力された固定受信機向けコンテンツは、携帯字幕変換装置２２において携帯用字幕が付加されたのち、固定受信機向けＨＤエンコーダ３から通知される符号化情報を表すステータスを受け、このステータスに基づいてダウンコンバータ２３による変換、及びＨ．２６４エンコーダ２４においてＨ．２６４符号化が行われ、携帯受信機向けのＴＳ信号として多重化装置４に出力される。多重化装置４は、この携帯受信機向けＴＳ信号をＨＤエンコーダ３から出力される固定受信機向けＴＳ等と多重化し、一つの放送用ＴＳとして出力する。
【００１６】
したがって上記実施形態によれば、既存の固定受信機向けデジタル放送送出システムに対する改修を極力抑えて、携帯受信機向け放送を送出することが可能となる。またこれは、安価で、かつ短期間で携帯受信機向けデジタル放送を実現する手法といえる。
【００１７】
なお、上記実施形態に示したデジタル放送送出システムは一例であり、装置構成については、この発明の要旨を逸脱しない範囲で種々に変形して実施できる。
【００１８】
すなわち、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００１９】
【図１】地上波デジタル放送用の固定受信機向けデジタル放送送出システムの一般的な構成を示すブロック図。
【図２】この発明に係わるデジタル放送送出システムの一実施形態の構成を示すブロック図である。
【符号の説明】
【００２０】
１…送出制御装置、２…スイッチャ装置、３…ＨＤエンコーダ、４…多重化装置、２１…エンコーダノード、２２…携帯字幕変換装置、２３…ダウンコンバータ、２４…Ｈ．２６４エンコーダ、２５…多重化ノード。
【図１】
2007243454.tif 000003
【図２】
2007243454.tif 000004